(57)【特許請求の範囲】
【請求項１】
端末用のシステムメッセージの取得方法であって、
基地局が送信した現在セルの第１基本システムメッセージを受信した後、業務システムメッセージを取得する必要があるか否かを決定するステップと、
前記業務システムメッセージを取得する必要があると決定した場合に、前記基地局に前記業務システムメッセージを要求するためのシステム要求メッセージを送信するステップと、
前記基地局が前記システム要求メッセージに基づいて送信した業務システムメッセージを受信するステップとを含み、
前記業務システムメッセージは、端末の移動性または業務ニーズに関連するシステムメッセージであり、前記業務ニーズは、デバイス間通信、車のインタネット通信、基地局支援測位のいずれか一つの業務に対するニーズであり、
前記システム要求メッセージは、伝送制限時間を含み、前記伝送制限時間は、前記基地局が前記伝送制限時間に達する前に前記業務システムメッセージを送信するようにするものであることを特徴とするシステムメッセージの取得方法。
【請求項２】
前記第１基本システムメッセージは端末が前記現在セルに接続または常駐されるのに必要なパラメータ情報を含む、ことを特徴とする請求項１に記載の方法。
【請求項３】
前記業務システムメッセージを取得する必要があるか否かを決定するステップは、
以下の条件に基づいて前記業務システムメッセージを取得する必要があるか否かを決定するステップを含み、
端末記憶にほかのシステムメッセージまたは前記端末の移動対象となるターゲットセルの、端末が前記ターゲットセルに接続または常駐されるのに必要なパラメータ情報を含む第２基本システムメッセージが記憶されている場合、前記業務システムメッセージを取得する必要がないと決定し、
端末にほかのシステムメッセージおよび前記ターゲットセルの第２基本システムメッセージが記憶されておらず、且つ端末が移動しない場合、前記業務システムメッセージを取得する必要がないと決定し、
端末にほかのシステムメッセージおよび前記ターゲットセルの第２基本システムメッセージが記憶されておらず、且つ前記端末が前記ターゲットセルに移動している場合、前記現在セルの基準シンボルの受信パワーまたは受信品質が第１所定閾値以上であると、前記業務システムメッセージを取得する必要がないと決定し、
端末にほかのシステムメッセージおよび前記ターゲットセルの第２基本システムメッセージが記憶されておらず、且つ前記端末が前記ターゲットセルに移動している場合、前記現在セルの基準シンボルの受信パワーまたは受信品質が前記第１所定閾値未満であると、前記業務システムメッセージを取得する必要があると決定し、
端末が業務ニーズを開始させるとき、前記業務システムメッセージを取得する必要があると決定する、ことを特徴とする請求項１に記載の方法。
【請求項４】
前記基地局に前記業務システムメッセージを要求するためのシステム要求メッセージを送信する前記ステップの前に、前記方法はさらに、
第１所定期間内に前記基地局が送信した業務システムメッセージを受信しているか否かを決定するステップを含み、
前記基地局に前記業務システムメッセージを要求するためのシステム要求メッセージを送信する前記ステップは、
前記第１所定期間内に前記業務システムメッセージが受信していない場合、前記基地局に前記業務システムメッセージを要求するためのシステム要求メッセージを送信するステップを含む、ことを特徴とする請求項１に記載の方法。
【請求項５】
前記システム要求メッセージは、前記基地局が前記業務システムメッセージを送信する根拠となる送信優先度を含み、前記送信優先度は、前記システム要求メッセージに対応する伝送制限時間の長さを示すために使用されることを特徴とする請求項１に記載の方法。
【請求項６】
基地局用のシステムメッセージの送信方法であって、
端末が送信して業務システムメッセージを要求するためのシステム要求メッセージを受信するステップと、
第２所定期間内に、前記業務システムメッセージに対応し前記業務システムメッセージが要求されるときに記録された数を示す統計数を決定して、前記統計数に基づいて前記端末へ前記業務システムメッセージを送信するステップとを含み、
前記業務システムメッセージは、端末の移動性または業務ニーズに関連するシステムメッセージであり、前記業務ニーズは、デバイス間通信、車のインタネット通信、基地局支援測位のいずれか一つの業務に対するニーズであり、
前記システム要求メッセージは、伝送制限時間を含み、
前記統計数に基づいて前記端末へ前記業務システムメッセージを送信するステップは、
前記伝送制限時間に達する前に、前記統計数に基づいて前記端末へ前記業務システムメッセージを送信するステップを含むことを特徴とするシステムメッセージの送信方法。
【請求項７】
前記第２所定期間内に前記業務システムメッセージに対応した統計数を決定するステップは、
前記システム要求メッセージを受信すると、前記システム要求メッセージが要求する業務システムメッセージに対応した第１カウント値に１を加算して、前記第２所定期間になったとき、前記第１カウント値を前記統計数として決定するステップを含む、ことを特徴とする請求項６に記載の方法。
【請求項８】
前記第２所定期間内に前記業務システムメッセージに対応した統計数を決定するステップは、
前記システム要求メッセージを受信すると、前記システム要求メッセージが要求する業務システムメッセージの存在する複数の異なる業務システムメッセージを含む所定システムメッセージ集合に対応した第２カウント値に１を加算して、前記第２所定期間になったとき、前記第２カウント値を前記統計数として決定するステップを含む、ことを特徴とする請求項６に記載の方法。
【請求項９】
前記統計数に基づいて前記端末に前記業務システムメッセージを送信する前記ステップは、
前記統計数が所定数以上である場合、前記業務システムメッセージを放送するステップと、
前記統計数が前記所定数未満である場合、物理専用制御チャンネルまたは物理共有データチャンネルにおいて伝送されるシグナリングである専用シグナリングを介して前記業務システムメッセージを送信するステップを含む、ことを特徴とする請求項６に記載の方法。
【請求項１０】
前記システム要求メッセージは送信優先度を含み、前記統計数に基づいて前記端末に前記業務システムメッセージを送信する前記ステップは、
前記統計数に基づいて、前記送信優先度に従って前記端末に前記業務システムメッセージを送信するステップを含み、
前記送信優先度は、前記システム要求メッセージに対応する伝送制限時間の長さを示すために使用されることを特徴とする請求項６に記載の方法。
【請求項１１】
端末用のシステムメッセージの取得装置であって、
基地局が送信した現在セルの第１基本システムメッセージを受信した後、業務システムメッセージを取得する必要があるか否かを決定する第１判断モジュールと、
前記業務システムメッセージを取得する必要があると決定した場合に、前記基地局に前記業務システムメッセージを要求するためのシステム要求メッセージを送信する第１送信モジュールと、
前記基地局が前記システム要求メッセージに基づいて送信した業務システムメッセージを受信する第１受信モジュールとを備え、
前記業務システムメッセージは、端末の移動性または業務ニーズに関連するシステムメッセージであり、前記業務ニーズは、デバイス間通信、車のインタネット通信、基地局支援測位のいずれか一つの業務に対するニーズであり、
前記システム要求メッセージは、伝送制限時間を含み、前記伝送制限時間は、前記基地局が前記伝送制限時間に達する前に前記業務システムメッセージを送信するようにするものであることを特徴とする取得装置。
【請求項１２】
前記第１基本システムメッセージは端末が前記現在セルに接続または常駐されるのに必要なパラメータ情報を含む、ことを特徴とする請求項１１に記載の装置。
【請求項１３】
前記第１判断モジュールは、以下の条件に基づいて前記業務システムメッセージを取得する必要があるか否かを決定し、
端末記憶にほかのシステムメッセージまたは前記端末の移動対象となるターゲットセルの、端末が前記ターゲットセルに接続または常駐されるのに必要なパラメータ情報を含む第２基本システムメッセージが記憶されている場合、前記業務システムメッセージを取得する必要がないと決定し、
端末にほかのシステムメッセージおよび前記ターゲットセルの第２基本システムメッセージが記憶されておらず、且つ端末が移動しない場合、前記業務システムメッセージを取得する必要がないと決定し、
端末にほかのシステムメッセージおよび前記ターゲットセルの第２基本システムメッセージが記憶されておらず、且つ前記端末が前記ターゲットセルに移動している場合、前記現在セルの基準シンボルの受信パワーまたは受信品質が第１所定閾値以上であると、前記業務システムメッセージを取得する必要がないと決定し、
端末にほかのシステムメッセージおよび前記ターゲットセルの第２基本システムメッセージが記憶されておらず、且つ前記端末が前記ターゲットセルに移動している場合、前記現在セルの基準シンボルの受信パワーまたは受信品質が前記第１所定閾値未満であると、前記業務システムメッセージを取得する必要があると決定し、
端末が業務ニーズを開始させるとき、前記業務システムメッセージを取得する必要があると決定する、ことを特徴とする請求項１１に記載の装置。
【請求項１４】
前記装置はさらに、
第１所定期間内に前記基地局が送信した業務システムメッセージを受信しているか否かを決定する第２判断モジュールと、
前記第１所定期間内に前記業務システムメッセージが受信していない場合、前記基地局に前記業務システムメッセージを要求するためのシステム要求メッセージを送信する前記第１送信モジュールとを備える、ことを特徴とする請求項１１に記載の装置。
【請求項１５】
前記システム要求メッセージは、前記基地局が前記業務システムメッセージを送信する根拠となる送信優先度を含み、前記送信優先度は、前記システム要求メッセージに対応する伝送制限時間の長さを示すために使用されることを特徴とする請求項１２に記載の装置。
【請求項１６】
基地局用のシステムメッセージの送信装置であって、
端末が送信して業務システムメッセージを要求するためのシステム要求メッセージを受信する第２受信モジュールと、
第２所定期間内に前記業務システムメッセージに対応し前記業務システムメッセージが要求されるときに記録された数を示す統計数を決定するカウントモジュールと、
前記統計数に基づいて、前記端末に前記業務システムメッセージを送信する第２送信モジュールとを備え、
前記業務システムメッセージは、端末の移動性または業務ニーズに関連するシステムメッセージであり、前記業務ニーズは、デバイス間通信、車のインタネット通信、基地局支援測位のいずれか一つの業務に対するニーズであり、
前記システム要求メッセージは、伝送制限時間を含み、前記第２送信モジュールは、前記伝送制限時間に達する前に前記統計数に基づいて、前記端末へ前記業務システムメッセージを送信することを特徴とするシステムメッセージの送信装置。
【請求項１７】
前記カウントモジュールは、前記システム要求メッセージを受信した後、前記システム要求メッセージが要求する業務システムメッセージに対応した第１カウント値に１を加算して、前記第２所定期間になったとき、前記第１カウント値を前記統計数として決定する、ことを特徴とする請求項１６に記載の装置。
【請求項１８】
前記カウントモジュールは、前記システム要求メッセージを受信した後、前記システム要求メッセージが要求する業務システムメッセージの存在する複数の異なる業務システムメッセージを含む所定システムメッセージ集合に対応した第２カウント値に１を加算して、前記第２所定期間になったとき、前記第２カウント値を前記統計数として決定する、ことを特徴とする請求項１６に記載の装置。
【請求項１９】
前記第２送信モジュールは、前記統計数が所定数以上である場合、前記業務システムメッセージを放送し、前記統計数が前記所定数未満である場合、物理専用制御チャンネルまたは物理共有データチャンネルにおいて伝送されるシグナリングである専用シグナリングを介して前記業務システムメッセージを送信する、ことを特徴とする請求項１６に記載の装置。
【請求項２０】
前記システム要求メッセージは送信優先度を含み、前記第２送信モジュールは、前記統計数に基づいて、前記送信優先度に従って前記端末に前記業務システムメッセージを送信し、前記送信優先度は、前記システム要求メッセージに対応する伝送制限時間の長さを示すために使用されることを特徴とする請求項１６に記載の装置。
【請求項２１】
非一時的コンピュータ可読記憶媒体であって、請求項１〜５のいずれか１項に記載の方法を実行するための１つまたは複数のプログラムを含む、ことを特徴とする非一時的コンピュータ可読記憶媒体。
【請求項２２】
非一時的コンピュータ可読記憶媒体であって、請求項６〜１０のいずれか１項に記載の方法を実行するための１つまたは複数のプログラムを含む、ことを特徴とする非一時的コンピュータ可読記憶媒体。
【請求項２３】
端末であって、
請求項２１に記載の非一時的コンピュータ可読記憶媒体、および
前記非一時的コンピュータ可読記憶媒体におけるプログラムを実行するための１つまたは複数のプロセッサを備える、ことを特徴とする端末。
【請求項２４】
基地局であって、
請求項２２に記載の非一時的コンピュータ可読記憶媒体、および
前記非一時的コンピュータ可読記憶媒体におけるプログラムを実行するための１つまたは複数のプロセッサを備える、ことを特徴とする基地局。
【発明の詳細な説明】
【技術分野】
【０００１】
本開示は通信分野に関し、特にシステムメッセージの取得方法、装置、端末および基地局に関する。
【背景技術】
【０００２】
４Ｇシステムにおいて、基地局が異なる周期に基づいて、すべてのシステムメッセージを放送し、それに対して、５Ｇシステムでは、超高密度ネットワーキング方式を用い、同一区域に移動性を確保するマクロセルカバレッジがあるとともに、容量を分担するためのスモールセルが存在し、このため、５Ｇシステムにおいて、マクロセルを用いてそのカバレッジ内におけるスモールセルのシステムメッセージを放送する場合があり、このような場合、４Ｇシステムのように、異なる周期に基づいて、すべてのシステムメッセージを放送すると、放送対象となるシステムメッセージのデータ量が大きく、占めるリソース数や周期が長くなり、それによってシステムのエネルギー消費量およびリソースオーバーヘッドが高まる。
【発明の概要】
【０００３】
上記問題を解決するために、本開示は、システムメッセージの取得方法、装置、端末および基地局を提供する。
【０００４】
上記目的を達成させるために、本開示の実施例の第１態様によれば、端末用のシステムメッセージの取得方法であって、基地局が送信した現在セルの第１基本システムメッセージを受信した後、業務システムメッセージを取得する必要があるか否かを決定するステップと、前記業務システムメッセージを取得する必要があると決定した場合に、前記基地局に前記業務システムメッセージを要求するためのシステム要求メッセージを送信するステップと、前記基地局が前記システム要求メッセージに基づいて送信した業務システムメッセージを受信するステップとを含む、システムメッセージの取得方法を提供する。
【０００５】
本開示の実施例の第２態様によれば、基地局用のシステムメッセージの取得方法であって、端末が送信して業務システムメッセージを要求するためのシステム要求メッセージを受信するステップと、第２所定期間内に前記業務システムメッセージに対応し前記業務システムメッセージが要求されるときに記録された数を示す統計数を決定して、前記統計数に基づいて前記端末へ前記業務システムメッセージを送信するステップとを含む、システムメッセージの取得方法を提供する。
【０００６】
本開示の実施例の第３態様によれば、上記第１態様に記載の方法を実行するための１つまたは複数のプログラムを含む非一時的コンピュータ可読記憶媒体を提供する。
【０００７】
本開示の実施例の第４態様によれば、上記第３態様に記載の非一時的コンピュータ可読記憶媒体、および前記非一時的コンピュータ可読記憶媒体におけるプログラムを実行するための１つまたは複数のプロセッサを備える端末を提供する。
【０００８】
本開示の実施例の第５態様によれば、上記第２態様に記載の方法を実行するための１つまたは複数のプログラムを含む非一時的コンピュータ可読記憶媒体を提供する。
【０００９】
本開示の実施例の第６態様によれば、上記第５態様に記載の非一時的コンピュータ可読記憶媒体、および前記非一時的コンピュータ可読記憶媒体におけるプログラムを実行するための１つまたは複数のプロセッサを備える基地局を提供する。
【００１０】
上記手段によれば、基地局が送信した現在セルの第１基本システムメッセージを受信した後、業務システムメッセージを取得する必要があるか否かを決定し、該業務システムメッセージを取得する必要があると決定した場合に、該基地局に該業務システムメッセージを要求するためのシステム要求メッセージを送信し、基地局が該システム要求メッセージに基づいて送信した業務システムメッセージを受信する。このように、基地局は、端末のニーズに応じてシステムメッセージを柔軟に送信することができ、周期的にすべてのシステムメッセージを送信する必要がなくなるため、システムのエネルギー消費量およびリソースオーバーヘッドを低下させることができる。
【図面の簡単な説明】
【００１１】
【図１】本開示の実施例によるシステムメッセージの取得方法のフロー模式図である。
【図２】本開示の実施例による別のシステムメッセージの取得方法のフロー模式図である。
【図３】本開示の実施例によるさらなるシステムメッセージの取得方法のフロー模式図である。
【図４】本開示の実施例によるシステムメッセージの取得装置の構造模式図である。
【図５】本開示の実施例による別のシステムメッセージの取得装置の構造模式図である。
【図６】本開示の実施例によるさらなるシステムメッセージの取得装置の構造模式図である。
【図７】本開示の実施例によるシステムメッセージの取得装置のハードウェア構成模式図である。
【発明を実施するための形態】
【００１２】
以下、図面を参照しながら、本開示の実施形態について詳細に説明する。なお、ここで説明される実施形態は本開示を説明して解釈するために過ぎず、本開示を限制するものではない。
【００１３】
本開示は、５Ｇシステムに適用でき、基地局が送信した現在セルの第１基本システムメッセージを端末が受信した後、業務システムメッセージが必要であるか否かを判定し、判定結果に基づいて業務システムメッセージを取得し、このようにして、端末は、必要に応じて業務システムメッセージを柔軟に取得することができ、基地局からすべての業務システムメッセージを取得する必要がなくなり、それによってシステムのエネルギー消費量およびリソースオーバーヘッドを低下させることができる。
【００１４】
以下、具体的な実施例に基づいて本開示について詳細に説明する。
【００１５】
図１は本開示の実施例によるシステムメッセージの取得方法であり、図１に示されるように、該方法は、端末用のものであり、Ｓ１０１ーＳ１０３を含む。
【００１６】
Ｓ１０１、基地局が送信した現在セルの第１基本システムメッセージを受信すると、業務システムメッセージを取得する必要があるか否かを決定する。
【００１７】
ここで、第１基本システムメッセージは、端末が該現在セルに接続または常駐されるのに必要なパラメータ情報を含んでも行く、たとえば、該第１基本システムメッセージは、セルダウンストリーム帯域幅、無線システムのフレーム番号などの情報を含む。端末は、該第１基本システムメッセージを取得することにより該現在セルへの接続または常駐が確保され、業務システムメッセージは、端末の移動性または業務ニーズに関連するシステムメッセージであってもよく、該業務ニーズは、たとえばデバイス間通信、車のインタネット通信、基地局支援測位などの業務ニーズであってもよい。
【００１８】
Ｓ１０２、該業務システムメッセージを取得する必要があると決定した場合に、該基地局に該業務システムメッセージを要求するためのシステム要求メッセージを送信する。
【００１９】
Ｓ１０３、基地局が該システム要求メッセージに基づいて送信した業務システムメッセージを受信する。
【００２０】
上記方法を用いると、端末は、必要に応じて業務システムメッセージを柔軟に取得することができ、基地局からすべての業務システムメッセージを取得する必要がなくなり、それによってシステムのエネルギー消費量およびリソースオーバーヘッドを低下させる。
【００２１】
図２は本開示の実施例によるシステムメッセージの取得方法であり、図２に示されるように、該方法は、基地局用のものであり、Ｓ２０１ーＳ２０２を含む。
【００２２】
Ｓ２０１、端末が送信して業務システムメッセージを要求するためのシステム要求メッセージを受信する。
【００２３】
Ｓ２０２、第２所定期間内に該業務システムメッセージに対応した統計数を決定して、該統計数に基づいて該端末に該業務システムメッセージを送信する。
【００２４】
ここで、該統計数は、該業務システムメッセージが要求されるときに記録される数を示し、該業務システムメッセージが要求される数としてもよいし、該業務システムメッセージを含む所定要求メッセージ集合に対応した数としてもよく、たとえば、所定要求メッセージ集合にはシステム要求メッセージＡ、システム要求メッセージＢまたはシステム要求メッセージＣが含まれ、該システム要求メッセージＡを受信する場合、該所定要求メッセージ集合に対応した数に１を加算し、該システム要求メッセージＢを受信する場合にも、該所定要求メッセージ集合に対応した数に１を加算し、該システム要求メッセージＣを受信する場合にも、該所定要求メッセージ集合に対応した数に１を加算し、つまり、該所定要求メッセージ集合に対応した数は、該所定要求メッセージ集合における各業務システムメッセージが要求される数の合計である。
【００２５】
上記方法を用いると、基地局は、端末のニーズに応じてシステムメッセージを柔軟に送信することができ、周期的にすべてのシステムメッセージを送信する必要がなくなり、それによってシステムのエネルギー消費量およびリソースオーバーヘッドを低下させることができる。
【００２６】
図３は本開示の実施例による別のシステムメッセージの取得方法であり、図３に示されるように、該方法は、Ｓ３０１ーＳ３０６を含む。
【００２７】
Ｓ３０１、基地局が送信した現在セルの第１基本システムメッセージを端末が受信する。
【００２８】
ここで、現在セルは端末の存在するセルであり、該第１基本システムメッセージは、端末が該現在セルに接続または常駐されるのに必要なパラメータ情報を含んでもよく、たとえば、該第１基本システムメッセージは、セルダウンストリーム帯域幅、無線システムのフレーム番号などの情報を含んでもよい。
【００２９】
Ｓ３０２、基地局が送信した第１基本システムメッセージを端末が受信した後、業務システムメッセージを取得する必要があるか否かを決定する。
【００３０】
ここで、業務システムメッセージは、端末の移動性または業務ニーズに関連するシステムメッセージであってもよく、該業務ニーズは、たとえばデバイス間通信、車のインタネット通信、基地局支援測位などの業務ニーズを含む。
【００３１】
本ステップでは、以下の条件に基づいて該業務システムメッセージを取得する必要があるか否かを決定する。
【００３２】
条件１：端末にほかのシステムメッセージまたは該端末の移動対象となるターゲットセルの第２基本システムメッセージが記憶されている場合、該業務システムメッセージを取得する必要がないと決定する。
【００３３】
条件２：端末にほかのシステムメッセージおよび該ターゲットセルの第２基本システムメッセージが記憶されておらず、且つ端末が移動しない場合、該業務システムメッセージを取得する必要がないと決定する。
【００３４】
ここで、該第２基本システムメッセージは、端末が該ターゲットセルに接続または常駐されるのに必要なパラメータ情報を含む。
【００３５】
条件３：端末にほかのシステムメッセージおよび該ターゲットセルの第２基本システムメッセージが記憶されておらず、且つ端末が移動しない場合、該業務システムメッセージを取得する必要がないと決定する。
【００３６】
条件４：端末にほかのシステムメッセージおよび該ターゲットセルの第２基本システムメッセージが記憶されておらず、且つ該端末が該ターゲットセルに移動している場合、該現在セルの基準シンボルの受信パワーまたは受信品質が第１所定閾値以上であると、該業務システムメッセージを取得する必要がないと決定する。
【００３７】
ここで、受信パワーとは、セル基準シンボルの信号パワーを受信する強度、受信品質とは、セル基準シンボルの信号を受信する信号対雑音比である。
【００３８】
該条件では、端末が移動したが、現在セルの信号品質が十分に良好であるため、セル再選択または切り替えの懸念がなく、つまり、業務システムメッセージを取得する必要がない。
【００３９】
条件５：端末にほかのシステムメッセージおよび該ターゲットセルの第２基本システムメッセージが記憶されておらず、且つ該端末が該ターゲットセルに移動している場合、該現在セルの基準シンボルの受信パワーまたは受信品質が該第１所定閾値未満であると、該業務システムメッセージを取得する必要があると決定する。
【００４０】
条件６：端末が業務ニーズを開始させるとき、該業務システムメッセージを取得する必要があると決定する。
【００４１】
ここで、該業務ニーズは、たとえば、デバイス間通信、車のインタネット通信、基地局支援測位などの業務ニーズであってもよい。
【００４２】
このように、以上の条件に基づいて業務システムメッセージが必要であるか否かを決定でき、業務システムメッセージが必要であると決定すると、ステップＳ３０３を実行し、業務システムメッセージが必要ではないと決定すると、該業務システムメッセージを取得しない。
【００４３】
Ｓ３０３、端末が第１所定期間内に該基地局が送信した業務システムメッセージを受信しているか否かを決定する。
【００４４】
ステップでは、端末が業務システムメッセージを取得する必要があると決定すると、タイマーを起動させ、タイマーにより記録された時間が第１所定期間以上である場合、基地局が送信した業務システムメッセージを端末が受信しないと、ステップＳ３０４を実行し、第１所定期間内に該基地局が送信した業務システムメッセージを受信すると、該業務システムメッセージを取得する。
【００４５】
Ｓ３０４、端末が基地局にシステム要求メッセージを送信する。
【００４６】
ここで、該システム要求メッセージは業務システムメッセージを要求するためであり、本ステップでは、該システム要求メッセージは、要求されるべきターゲットセルの識別子情報、システム情報識別子（たとえばシステム情報番号など）またはタイプ識別子（たとえばＤ２Ｄ業務の場合は、タイプ識別子１、車のインタネット通信業務の場合は、タイプ識別子２を用いる）などの情報を含み、たとえば、端末がターゲットセルに移動する必要がある場合、ターゲットセルの識別子情報を取得し、また、端末がＤ２Ｄ（Ｄｅｖｉｃｅ−ｔｏ−Ｄｅｖｉｃｅ、デバイス間）通信を必要とする場合、対応したＤ２Ｄが必要とされるシステム情報、即ちＤ２Ｄ情報に対応したシステム情報番号またはタイプ識別子などの情報を取得する。
【００４７】
なお、システムメッセージによって伝送時間制限への要求が異なり、たとえば、地震および津波警報システムの場合、該システムによるシステムメッセージが公衆に地震、津波などの緊急情報をタイムリーに開示して、避難や自助を指導することに用いられるため、該システムメッセージを優先的に送信し、また、端末が車のインタネット業務に適用される場合に必要な衛星測位情報も優先的に送信すべきであり、このため、高優先度の業務システムメッセージを優先的に伝送するために、本開示の別の実施例では、該システム要求メッセージは、該基地局が該業務システムメッセージを送信する根拠となる対応した送信優先度を含み、たとえば、地震および津波警報システムのシステムメッセージを要求するためのシステム要求メッセージに含まれる優先度を高優先度とすると、後続のステップにおいて、基地局が該システム要求メッセージを受信すると、該高優先度に基づいて該地震および津波警報システムのシステムメッセージを優先的に送信する。
【００４８】
本開示の別の可能な実施態様において、該システム要求メッセージは、該基地局がそれに達する前に該業務システムメッセージを送信するようにする伝送制限時間を含む。
【００４９】
ここで、該システム要求メッセージは、該伝送制限時間を指示する遅延指示情報を含んでもよく、たとえば、１ｍｓ（伝送制限時間に相当）に対応した遅延指示情報は００、２ｍｓ（伝送制限時間に相当）に対応した遅延指示情報は０１、５ｍｓ（伝送制限時間に相当）に対応した遅延指示情報は１０、１０ｍｓ（伝送制限時間に相当）に対応した遅延指示情報は１００とされ、このように、基地局が後で該システム要求メッセージを受信し、且つ該システム要求メッセージにおける遅延指示情報が００である場合、１ｍｓ内に端末に該業務システムメッセージを送信すると決定し、基地局が後で該システム要求メッセージを受信し、且つ該システム要求メッセージにおける遅延指示情報が０１である場合、２ｍｓ内に端末に該業務システムメッセージを送信すると決定し、基地局が後で該システム要求メッセージを受信し、且つ該システム要求メッセージにおける遅延指示情報が１０である場合、５ｍｓ内に端末に該業務システムメッセージを送信すると決定し、基地局が後で該システム要求メッセージを受信し、且つ該システム要求メッセージにおける遅延指示情報が１００である場合、１０ｍｓ内に端末に該業務システムメッセージを送信すると決定する。勿論、上記遅延指示情報および伝送制限時間は例として説明されたものに過ぎず、本開示はそれに限定されない。
【００５０】
Ｓ３０５、基地局が該システム要求メッセージを受信すると、第２所定期間内に該業務システムメッセージに対応した統計数を決定する。
【００５１】
本ステップでは、以下の２種の方式のうちのいずれかによって該業務システムメッセージに対応した統計数を決定できる。
【００５２】
方式１：該システム要求メッセージを受信した後、該システム要求メッセージが要求する業務システムメッセージに対応した第１カウント値に１を加算し、該第２所定期間になったとき、該第１カウント値を該統計数として決定する。
【００５３】
本方式において、各システムメッセージごとに１つのカウンタが対応しており、特定の業務システムメッセージを要求するためのシステム要求メッセージを受信すると、特定の業務システムメッセージに対応したカウンタにより記録されたカウント値に１を加算する。
【００５４】
たとえば、システムに、業務システムメッセージ１、業務システムメッセージ２……業務システムメッセージ１２と記する１２個の業務システムメッセージがあり、各業務システムメッセージのカウンタの初期カウント値が０であると想定し、基地局がシステム要求メッセージを受信した後、システム要求メッセージにおいて要求される業務システムメッセージの識別子により、要求される業務システムメッセージが業務システムメッセージ１であると決定する場合、業務システムメッセージ１に対応したカウンタにより記録されたカウント値に１を加算し、システム要求メッセージにおいて要求される業務システムメッセージの識別子により、要求される業務システムメッセージが業務システムメッセージ２であると決定する場合、業務システムメッセージ２に対応したカウンタにより記録されたカウント値に１を加算し、このようにして、特定の業務システムメッセージを要求するためのシステム要求メッセージを受信した場合に、該特定の業務システムメッセージに対応したカウンタにより記録されたカウント値に１を加算し、それによって第２所定期間になったとき、該統計数を取得する。
【００５５】
方式２：該システム要求メッセージを受信したあと、該システム要求メッセージが要求する業務システムメッセージの存在する、複数の異なる業務システムメッセージを含む所定システムメッセージ集合に対応した第２カウント値に１を加算し、該第２所定期間になったとき、該第２カウント値を該統計数として決定する。
【００５６】
本方式では、複数の業務システムメッセージを１つの所定システムメッセージ集合とし、且つ各所定システムメッセージ集合に１つのカウンタを対応させておき、基地局がシステム要求メッセージを受信すると、該システム要求メッセージが要求する業務システム情報の存在する所定システムメッセージ集合を決定し、該所定システムメッセージ集合に対応したカウンタにより記録されたカウント値に１を加算する。
【００５７】
たとえば、前記のように１２個の業務システム情報を例にして説明すると、該１２個の業務システム情報を３個の所定システムメッセージ集合に分け、各所定システムメッセージ集合に１つのカウンタを対応させ、各所定システムメッセージ集合に対応したカウンタの初期値を０とし、ここで、業務システムメッセージ１−業務システムメッセージ４は所定システムメッセージ集合ａ、業務システムメッセージ５−業務システムメッセージ８は所定システムメッセージ集合ｂ、業務システムメッセージ９−業務システムメッセージ１２は所定システムメッセージ集合ｃとされ、システム要求メッセージにおいて要求される業務システムメッセージの識別子により、要求される業務システムメッセージが業務システムメッセージ１であると決定し、かつ該業務システムメッセージ１の存在する所定システムメッセージ集合が所定システムメッセージ集合ａであると決定する場合、所定システムメッセージ集合ａに対応したカウンタにより記録されたカウント値に１を加算し、システム要求メッセージにおいて要求される業務システムメッセージの識別子により、要求される業務システムメッセージが業務システムメッセージ３であり、かつ該業務システムメッセージ３の存在する所定システムメッセージ集合が同様に所定システムメッセージ集合ａであると決定する場合、所定システムメッセージ集合ａに対応したカウンタにより記録されたカウント値にさらに１を加算し、システム要求メッセージにおいて要求される業務システムメッセージの識別子により、要求される業務システムメッセージが業務システムメッセージ６であり、かつ該業務システムメッセージ６の存在する所定システムメッセージ集合が所定システムメッセージ集合ｂであると決定する場合、所定システムメッセージ集合ｂに対応したカウンタにより記録されたカウント値に１を加算し、このようにして、特定の業務システムメッセージを要求するためのシステム要求メッセージを受信すると、該特定の業務システムメッセージの存在する所定システムメッセージ集合に対応したカウンタにより記録されたカウント値に１を加算し、それによって第２所定期間になったとき、該統計数を取得する。
【００５８】
Ｓ３０６、基地局が該統計数に基づいて該端末に該業務システムメッセージを送信する。
【００５９】
本ステップでは、基地局が該業務システムメッセージを送信する方式には、下記の２種のケースがある：
ケース１：該統計数が該所定数未満である場合、物理専用制御チャンネルまたは物理共有データチャンネルにおいて伝送されるシグナリングである専用シグナリングを介して該業務システムメッセージを送信する。
【００６０】
ここで、該専用シグナリングは、ＲＲＣ（Ｒａｄｉｏ  Ｒｅｓｏｕｒｃｅ  Ｃｏｎｔｒｏ、無線リソース制御プロトコル）シグナリングまたはＮＡＳ（Ｎｏｎ−ａｃｃｅｓｓ  ｓｔｒａｔｕｍ、非アクセス層）シグナリングであってもよい。
【００６１】
なお、該統計数が該所定数未満であると、第２所定期間内に同じ業務システムメッセージへのニーズが少ないことを示し、したがって、専用シグナリングを介して端末に１対１で業務システムメッセージを伝送することで、業務システムメッセージの伝送効率を向上できる。
【００６２】
ケース２：該統計数が所定数以上である場合、該業務システムメッセージを放送する。
【００６３】
なお、該統計数が該所定数以上であると、第２所定期間内に同じ業務システムメッセージへのニーズが多いことを示し、したがって、放送手段で端末と業務システムメッセージの伝送を行い、１対１の方式で伝送する必要がなくなり、それによってシグナリングオーバーヘッドを減少させて、伝送リソースを削減させる。
【００６４】
上記方法実施例については、説明の便宜上、一連の作動の組み合わせとして説明したが、当業者が公知するように、本発明は説明した動作の順番に制限されない。また、当業者が公知するように、明細書に説明される実施例はすべて好適実施例であり、関連する動作やモジュールは必ず本発明にとって必須なものと限らない。
【００６５】
上記方法を用いると、端末は、必要に応じて業務システムメッセージを柔軟に取得することができ、基地局からすべての業務システムメッセージを取得する必要がなくなり、それによってシステムのエネルギー消費量およびリソースオーバーヘッドを低下させる。
【００６６】
図４は本開示の実施例によるシステムメッセージの取得装置であり、図４に示されるように、端末に適用され、該装置は、
基地局が送信した現在セルの第１基本システムメッセージを受信すると、業務システムメッセージを取得する必要があるか否かを決定する第１判断モジュール４０１と、
該業務システムメッセージを取得する必要があると決定すると、該基地局に該業務システムメッセージを要求するためのシステム要求メッセージを送信する第１送信モジュール４０２と、
該基地局が該システム要求メッセージに基づいて送信した業務システムメッセージを受信する第１受信モジュール４０３とを備える。
【００６７】
該第１基本システムメッセージは、端末が該現在セルに接続または常駐されるのに必要なパラメータ情報を含み、該業務システムメッセージは端末の移動性または業務ニーズに関連するシステムメッセージを含むようにしてもよい。
【００６８】
該第１判断モジュール４０１は、以下の条件に基づいて該業務システムメッセージを取得する必要があるか否かを決定するようにしてもよい。
【００６９】
端末にほかのシステムメッセージまたは該端末の移動対象となるターゲットセルの、端末が該ターゲットセルに接続または常駐されるのに必要なパラメータ情報を含む第２基本システムメッセージが記憶されている場合、該業務システムメッセージを取得する必要がないと決定し、
端末にほかのシステムメッセージおよび該ターゲットセルの第２基本システムメッセージが記憶されておらず、且つ端末が移動しない場合、該業務システムメッセージを取得する必要がないと決定し、
端末にほかのシステムメッセージおよび該ターゲットセルの第２基本システムメッセージが記憶されておらず、且つ該端末が該ターゲットセルに移動している場合、該現在セルの基準シンボルの受信パワーまたは受信品質が第１所定閾値以上であると、該業務システムメッセージを取得する必要がないと決定し、
端末にほかのシステムメッセージおよび該ターゲットセルの第２基本システムメッセージが記憶されておらず、且つ該端末が該ターゲットセルに移動している場合、該現在セルの基準シンボルの受信パワーまたは受信品質が該第１所定閾値未満であると、該業務システムメッセージを取得する必要があると決定し、
端末が業務ニーズを開始させるとき、該業務システムメッセージを取得する必要があると決定する。
【００７０】
図５に示されるように、該装置はさらに、
第１所定期間内に該基地局が送信した業務システムメッセージが受信されているか否かを決定する第２判断モジュール４０４を備え、
該第１送信モジュール４０２は、該第１所定期間内に該業務システムメッセージが受信されていない場合、該基地局に該業務システムメッセージを要求するためのシステム要求メッセージを送信しようにしてもよい。
【００７１】
該システム要求メッセージは、該基地局が該業務システムメッセージを送信する根拠となる送信優先度を含むようにしてもよい。
【００７２】
該システム要求メッセージは、該基地局がそれに達する前に該業務システムメッセージを送信するように伝送制限時間を含むようにしてもよい。
【００７３】
上記方法を用いると、端末は、必要に応じて業務システムメッセージを柔軟に取得することができ、基地局からすべての業務システムメッセージを取得する必要がなくなり、それによってシステムのエネルギー消費量およびリソースオーバーヘッドを低下させる。
【００７４】
図６は本開示の実施例によるシステムメッセージの取得装置であり、図６に示されるように、基地局に適用され、該装置は、
端末が送信して業務システムメッセージを要求するためのシステム要求メッセージを受信する第２受信モジュール６０１と、
第２所定期間内に該業務システムメッセージに対応し該業務システムメッセージが要求されるときに記録された数を示す統計数を決定するカウントモジュール６０２と、
該統計数に基づいて該端末に該業務システムメッセージを送信する第２送信モジュール６０３とを備える。
【００７５】
該業務システムメッセージは端末の移動性または業務ニーズに関連するシステムメッセージを含むようにしてもよい。
【００７６】
該カウントモジュール６０２は、該システム要求メッセージを受信すると、該システム要求メッセージにより要求される業務システムメッセージに対応した第１カウント値に１を加算し、該第２所定期間になったとき、該第１カウント値を該統計数として決定するようにしてもよい。
【００７７】
該カウントモジュール６０２は、該システム要求メッセージを受信すると、該システム要求メッセージにより要求される業務システムメッセージの存在する複数の異なる業務システムメッセージを含む所定システムメッセージ集合に対応した第２カウント値に１を加算し、該第２所定期間になったとき、該第２カウント値を該統計数として決定するようにしてもよい。
【００７８】
該第２送信モジュール６０３は、該統計数が所定数以上である場合、該業務システムメッセージを放送し、該統計数が該所定数未満である場合、物理専用制御チャンネルまたは物理共有データチャンネルにおいて伝送されるシグナリングである専用シグナリングを介して該業務システムメッセージを送信する、ようにしてもよい。
【００７９】
該システム要求メッセージは、送信優先度を含み、該第２送信モジュール６０３は、該統計数に基づいて該送信優先度に従って該端末に該業務システムメッセージを送信するようにしてもよい。
【００８０】
該システム要求メッセージは伝送制限時間を含み、該第２送信モジュール６０３は、該伝送制限時間に達する前に、該統計数に基づいて該端末に該業務システムメッセージを送信するようにしてもよい。
【００８１】
上記装置を用いると、基地局は、端末のニーズに応じてシステムメッセージを柔軟に送信することができ、周期的にすべてのシステムメッセージを送信する必要がなくなり、それによってシステムのエネルギー消費量およびリソースオーバーヘッドを低下させる。
【００８２】
図７は本開示の一実施例によるシステムメッセージの取得装置のブロック図であり、図７に示されるように、該装置は、端末または基地局に適用でき、該装置７００は、プロセッサ７０１、メモリ７０２、マルチメディアコンポーネント７０３、入力／出力（Ｉ／Ｏ）インタフェース７０４、および通信コンポーネント７０５を備えてもよい。
【００８３】
ここで、プロセッサ７０１は該装置７００全体の操作を制御して、上記システムメッセージの取得方法のすべてまたは一部のステップを実行する。メモリ７０２は、該装置７００での操作をサポートするように、各種タイプのデータを記憶し、これらデータは、たとえば、該装置７００において操作可能ないずれかのアプリケーションまたは方法の命令、およびアプリケーションに関連するデータ、たとえば連絡先データ、受送信するメッセージ、ピクチャ、オーディオ、ビデオなどを含む。
【００８４】
該メモリ７０２は、任意のタイプの揮発性または非揮発性記憶端末デバイスまたはこれらの組み合わせとして実現でき、たとえばスタティックランダムアクセスメモリ（Ｓｔａｔｉｃ  Ｒａｎｄｏｍ  Ａｃｃｅｓｓ  Ｍｅｍｏｒｙ、略語ＳＲＡＭ）、電気的消去可能プログラマブル読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略語ＥＥＰＲＯＭ）、消去可能プログラマブル読み出し専用メモリ（Ｅｒａｓａｂｌｅ  Ｐｒｏｇｒａｍｍａｂｌｅ  Ｒｅａｄ−Ｏｎｌｙ  Ｍｅｍｏｒｙ、略語ＥＰＲＯＭ）、プログラマブル読み取り専用メモリ（Ｐｒｏｇｒａｍｍａｂｌｅ  Ｒｅａｄ−Ｏｎｌｙ  Ｍｅｍｏｒｙ、略語ＰＲＯＭ）、読み取り専用メモリ（Ｒｅａｄ−Ｏｎｌｙ  Ｍｅｍｏｒｙ、略語ＲＯＭ）、磁気メモリ、フラッシュメモリ、磁気ディスクまたは光ディスクである。マルチメディアコンポーネント７０３は画面およびオーディオコンポーネントを含むことができる。画面は、たとえばタッチスクリーンであってもよく、オーディオコンポーネントはオーディオ信号を出力および／または入力する。たとえば、オーディオコンポーネントは外部オーディオ信号を受信するマイクを含んでもよい。受信されるオーディオ信号はさらにメモリ７０２に記憶されるか、または通信コンポーネント７０５を介して送信されてもよい。オーディオコンポーネントはさらに、オーディオ信号を出力する少なくとも１つのスピーカーを含む。Ｉ／Ｏインタフェース７０４は、プロセッサ７０１およびほかのインタフェースモジュールの間のインタフェースとして機能し、上記ほかのインタフェースモジュールは、キーボード、マウス、ボタンなどであってもよい。これらボタンは仮想ボタンまたは物理ボタンである。通信コンポーネント７０５は、該装置７００とほかの端末デバイスとの間の有線または無線通信に用いられる。無線通信は、たとえばＷｉ−Ｆｉ、ブルートゥース（登録商標）、近距離無線通信（Ｎｅａｒ  Ｆｉｅｌｄ  Ｃｏｍｍｕｎｉｃａｔｉｏｎ、略語ＮＦＣ）、２Ｇ、３Ｇまたは４Ｇ、またはそれらのうちの１種または複数種の組み合わせであり、これに対応して、該通信コンポーネント７０５は、Ｗｉ−Ｆｉモジュール、ブルートゥース（登録商標）モジュール、ＮＦＣモジュールを含んでもよい。
【００８５】
一例示的な実施例では、装置７００は、１つまたは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略語ＡＳＩＣ）、デジタルシグナルプロセッサ（Ｄｉｇｉｔａｌ  Ｓｉｇｎａｌ  Ｐｒｏｃｅｓｓｏｒ、略語ＤＳＰ）、デジタル信号処理端末デバイス（Ｄｉｇｉｔａｌ  Ｓｉｇｎａｌ  Ｐｒｏｃｅｓｓｉｎｇ  Ｄｅｖｉｃｅ、略語ＤＳＰＤ）、プログラマブルロジックデバイス（Ｐｒｏｇｒａｍｍａｂｌｅ  Ｌｏｇｉｃ  Ｄｅｖｉｃｅ、略語ＰＬＤ）、フィールドプログラマブルゲートアレイ（Ｆｉｅｌｄ  Ｐｒｏｇｒａｍｍａｂｌｅ  Ｇａｔｅ  Ａｒｒａｙ、略語ＦＰＧＡ）、コントローラ、マイクロコントローラ、マイクロプロセッサまたはほかの電子素子として実現でき、上記システムメッセージの取得方法を実行する。
【００８６】
本開示の実施例はさらに、システムメッセージの取得方法を実行するための１つまたは複数のプログラムを含む非一時的コンピュータ可読記憶媒体１を提供し、該方法は、基地局が送信した現在セルの第１基本システムメッセージを受信した後、業務システムメッセージを取得する必要があるか否かを決定するステップと、該業務システムメッセージを取得する必要があると決定した場合に、該基地局に該業務システムメッセージを要求するためのシステム要求メッセージを送信するステップと、該基地局が該システム要求メッセージに基づいて送信した業務システムメッセージを受信するステップとを含む。
【００８７】
該第１基本システムメッセージは、端末が該現在セルに接続または常駐されるのに必要なパラメータ情報を含み、該業務システムメッセージは端末の移動性または業務ニーズに関連するシステムメッセージを含むようにしてもよい。
【００８８】
該業務システムメッセージを取得する必要があるか否かを決定するステップは、以下の条件に基づいて該業務システムメッセージを取得する必要があるか否かを決定するステップを含むようにしてもよい。
端末にほかのシステムメッセージまたは該端末の移動対象となるターゲットセルの、端末が該ターゲットセルに接続または常駐されるのに必要なパラメータ情報を含む第２基本システムメッセージが記憶されている場合、該業務システムメッセージを取得する必要がないと決定し、
端末にほかのシステムメッセージおよび該ターゲットセルの第２基本システムメッセージが記憶されておらず、且つ端末が移動しない場合、該業務システムメッセージを取得する必要がないと決定し、
端末にほかのシステムメッセージおよび該ターゲットセルの第２基本システムメッセージが記憶されておらず、且つ該端末が該ターゲットセルに移動している場合、該現在セルの基準シンボルの受信パワーまたは受信品質が第１所定閾値以上であると、該業務システムメッセージを取得する必要がないと決定し、
端末にほかのシステムメッセージおよび該ターゲットセルの第２基本システムメッセージが記憶されておらず、且つ該端末が該ターゲットセルに移動している場合、該現在セルの基準シンボルの受信パワーまたは受信品質が該第１所定閾値未満であると、該業務システムメッセージを取得する必要があると決定し、
端末が業務ニーズを開始させるとき、該業務システムメッセージを取得する必要があると決定する。
【００８９】
該基地局に該業務システムメッセージを要求するためのシステム要求メッセージを送信する該ステップの前に、該方法はさらに、第１所定期間内に該基地局が送信した業務システムメッセージが受信されているか否かを決定するステップを含み、該基地局に該業務システムメッセージを要求するためのシステム要求メッセージを送信する該ステップは、該第１所定期間内に該業務システムメッセージが受信されていない場合、該基地局に該業務システムメッセージを要求するためのシステム要求メッセージを送信するステップを含むようにしてもよい。
【００９０】
該システム要求メッセージは、該基地局が該業務システムメッセージを送信する根拠となる送信優先度を含むようにしてもよい。
【００９１】
該システム要求メッセージは、該基地局が該伝送制限時間に達する前に該業務システムメッセージを送信するようにする伝送制限時間を含むようにしてもよい。
【００９２】
本開示の実施例はさらに、
上記非一時的コンピュータ可読記憶媒体１、および
上記非一時的コンピュータ可読記憶媒体１におけるプログラムを実行するための１つまたは複数のプロセッサを備える端末２を提供する。
【００９３】
本開示の実施例はさらに、システムメッセージの取得方法を実行するための１つまたは複数のプログラムを含む非一時的コンピュータ可読記憶媒体３を提供し、該方法は、端末が送信して業務システムメッセージを要求するためのシステム要求メッセージを受信するステップと、第２所定期間内に該業務システムメッセージに対応し該業務システムメッセージが要求されるときに記録された数を示す統計数を決定して、該統計数に基づいて該端末に該業務システムメッセージを送信するステップとを含む。
【００９４】
該業務システムメッセージは端末の移動性または業務ニーズに関連するシステムメッセージを含むようにしてもよい。
【００９５】
該第２所定期間内に該業務システムメッセージに対応した統計数を決定するステップは、該システム要求メッセージを受信すると、該システム要求メッセージが要求する業務システムメッセージに対応した第１カウント値に１を加算し、該第２所定期間になったとき、該第１カウント値を該統計数として決定するステップを含むようにしてもよい。
【００９６】
該第２所定期間内に該業務システムメッセージに対応した統計数を決定するステップは、該システム要求メッセージを受信すると、該システム要求メッセージが要求する業務システムメッセージの存在する、複数の異なる業務システムメッセージを含む所定システムメッセージ集合に対応した第２カウント値に１を加算し、該第２所定期間になったとき、該第２カウント値を該統計数として決定するステップを含むようにしてもよい。
【００９７】
該統計数に基づいて該端末に該業務システムメッセージを送信する該ステップは、該統計数が所定数以上である場合、該業務システムメッセージを放送するステップと、該統計数が該所定数未満である場合、物理専用制御チャンネルまたは物理共有データチャンネルにおいて伝送されるシグナリングである専用シグナリングを介して該業務システムメッセージを送信するステップとを含むようにしてもよい。
【００９８】
該システム要求メッセージは、送信優先度を含み、該統計数に基づいて該端末に該業務システムメッセージを送信する該ステップは、該統計数に基づいて該送信優先度に従って該端末に該業務システムメッセージを送信するステップを含むようにしてもよい。
【００９９】
該システム要求メッセージは伝送制限時間を含み、該統計数に基づいて該端末に該業務システムメッセージを送信する該ステップは、該伝送制限時間になる前に、該統計数に基づいて該端末に該業務システムメッセージを送信するステップを含むようにしてもよい。
【０１００】
本開示の実施例はさらに、
上記非一時的コンピュータ可読記憶媒体３、および
上記非一時的コンピュータ可読記憶媒体３におけるプログラムを実行するための１つまたは複数のプロセッサを備える基地局４を提供する。
【０１０１】
以上、図面を参照しながら、本開示の好適実施形態を詳細に説明したが、本開示は上記実施形態における詳細に制限されず、本開示の技術構想から逸脱せずに、本開示の技術案に対して様々な簡単な変形を行うことができ、これら簡単な変形はいずれも本開示の保護範囲に属する。
【０１０２】
また、なお、上記実施形態において説明した各具体的な技術的特徴は、矛盾しない限り、適切な方式で組み合わせてもよく、不必要な重複を避けるために、本開示では、各種の可能な組み合わせ方式について説明しない。
【０１０３】
また、本開示の各実施形態同士も任意に組み合わせてもよく、本開示の趣旨から逸出しない限り、同様に本開示の開示内容とみなされるべきである。
【図１】
0006802585.tif 000002
【図２】
0006802585.tif 000003
【図３】
0006802585.tif 000004
【図４】
0006802585.tif 000005
【図５】
0006802585.tif 000006
【図６】
0006802585.tif 000007
【図７】
0006802585.tif 000008